(57)【特許請求の範囲】
【請求項１】
電話の接地キー動作を耐干渉性をもって検出するための接地キー検出回路であって、
接地キー（６）が動作されるときに、流れている縦電流を検出するための縦電流検出装置（４）と、
検出された縦電流を、少なくとも１つの閾値と比較するための比較測定器（６）と、
縦電流が電流閾値を超える上回り期間を検出するとともに、縦電流が電流閾値以下に落ちる下回り期間を検出するためのモニター回路（８）とを含み、
前記モニター回路（８）は、上回り期間が下回り期間よりも長いときに接地キー検出信号を出力する前記モニター回路（８）を含んでおり、
前記比較測定器（６）は第１比較測定器回路（１１）および第２比較測定器回路（１２）を有し、
前記第１比較測定器回路（１１）は検出された縦電流を上電流閾値と比較し、第２比較測定器回路（１２）は、検出された縦電流を下電流閾値と比較し、
前記モニター回路（８）は２つの電流閾値の上回り期間と下回り期間を検出し、第１比較測定器回路（１１）での縦電流の上回り期間が下回り期間よりも長いとき、あるいは、第２比較測定器回路（１２）での縦電流の下回り期間が上回り期間よりも長いときに接地キー検出信号を出力する、接地キー動作を耐干渉性をもって検出するための接地キー検出回路。
【請求項２】
前記モニター回路（８）は、上電流閾値が超えられた後にカウントアップし、下電流閾値が下回られた後にカウントダウンする、少なくとも１つの内部アップ／ダウンカウンターを備える請求項１に記載の接地キー検出回路。
【請求項３】
前記モニター回路（８）は、下電流閾値が下回られた後にカウントアップし、下電流閾値が超えられた後にカウントダウンする、内部アップ／ダウンカウンターを備える請求項１に記載の接地キー検出回路。
【請求項４】
前記内部カウンターは、閾値が超えられた／下回られた後に、あらかじめ決められた可変カウント期間、アップ／ダウンカウント過程を行う請求項２または３に記載の接地キー検出回路。
【請求項５】
前記可変カウント期間は、それぞれ、最大干渉期間および／または、最小干渉周波数をもつ干渉信号の期間の半分に相当する請求項４に記載の接地キー検出回路。
【請求項６】
前記干渉信号の最小干渉周波数は、５０／３Ｈｚ、５０Ｈｚ、６０Ｈｚあるいは１２０Ｈｚである請求項５に記載の接地キー検出回路。
【請求項７】
前記上電流閾値は約＋１７ｍＡで、下電流閾値は約−１７ｍＡである請求項１〜６のいずれか１項に記載の接地キー検出回路。
【請求項８】
前記モニター回路（８）は、縦電流の極性を検出するための電流極性検出装置を備えている請求項１〜７のいずれか１項に記載の接地キー検出回路。
【請求項９】
前記縦電流の極性変化の数は、電流極性検出装置の内部カウンターによってカウントされ、あらかじめ決められた可変しきいカウントが超えられると、電流極性検出装置によって外部交流電流検出信号が出力される請求項８に記載の接地キー検出回路。
【請求項１０】
前記接地キー検出信号は、あらかじめ決められた可変保護期間が経過した後にだけ出力される請求項１〜９のいずれか１項に記載の接地キー検出回路。
【請求項１１】
前記可変保護期間が約４ｍｓである請求項１０に記載の接地キー検出回路。
【請求項１２】
可変保護期間の終結は、モニター回路（８）の、内部アップ／ダウンカウンターによって検出される請求項１０あるいは１１に記載の接地キー検出回路。
【請求項１３】
前記縦電流検出装置（４）は、デジタル電話切り換え（ＳＬＩＣ）のための集積回路である請求項１〜１２のいずれか１項に記載の接地キー検出回路。
【請求項１４】
（ａ）接地キー（６）が動作されるときに流れる縦電流を検出する工程と、
（ｂ）検出された縦電流を電流閾値と比較する工程と、
（ｃ）縦電流が電流閾値を継続して超える上回り期間、および縦電流が継続して電流閾値以下となる下回り期間を検出する工程と、
（ｄ）上回り期間が下回り期間よりも長く、さらに、可変保護期間が経過したときに接地キー検出信号を出力する工程と、
を含んでいる電話の接地キー動作を耐干渉性をもって検出する検出方法。
【発明の詳細な説明】
本発明は、電話の接地キー動作(operation of a grounding key)を耐干渉性をもって検出するための接地キー検出回路と、これに相当する電話の接地キー動作を耐干渉性をもって検出するための方法に関する。
【０００１】
電話に交換線呼び出し(exchange line call)が設置される場合には、接地キー動作によって、いわゆる照会呼び出し(inquiry call)が開始され得る。交換線インターフェイス(exchange line interface)は、現存呼び出し(existing call)を維持し、切り替え電話(extension)の照会を、照会呼び出し加入者線回路(inquiry subscriber line circuit)に切り替える。照会呼び出し加入者線回路から、内部呼び出し(internal call)が開始され得る。交換線呼び出しは、この照会呼び出し経路によって、他の加入者に移されることができる。
【０００２】
デジタル切り替えシステムでは、電話機は、いわゆるＢＯＲＳＣＨＴ機能を扱う集積半導体チップに接続されている。この集積半導体回路は、一般にＳＬＩＣ（加入者線インターフェイス回路）回路と呼ばれる。“ＢＯＲＳＣＨＴ”は、交換局(switching center)内での加入者線回路の機能をより簡単に表現する人造語である。“ＢＯＲＳＣＨＴ”という単語は、ＳＬＩＣ半導体回路のような種々の機能の名称の頭文字から成る。これらの機能は、バッテリー燃料、過電圧保護、呼出信号、信号、コーディング、ハイブリッド、および試験のための規定(provision for testing)を含む。
【０００３】
米国特許第５,６５９,５７０号には、接地キー検出回路を含む集積ＳＬＩＣ回路が記載されている。この構成では、ＳＬＩＣ回路は、２つの電話接続線を介して接地キーで電話機に接続され、接地キーが電話機で動作されるときに、接地キー検出信号を出力する、２つの接続線を流れる電流の不均衡を検出するＳＬＩＣ回路に含まれる接地キー検出回路に接続される。接点を流れている２つの電流は、それぞれの場合において、２つの基準電流源によって発生される基準電流と比較される。基準電流源によって発生される２つの基準電流は、同等の大きさである。第１電話機接続線の電流ＩT（Ｔ：チップ）が、第２電話機接続線を流れている電流ＩR（Ｒ：リング）および第１基準電流源によって発生される基準電流の和よりも大きい、あるいは、第２電話接続線を流れている電流ＩRが、第１電話接続線を流れている電流ＩTおよび第２基準電流によって発生される基準電流の和よりも大きい場合に、集積ＳＬＩＣ回路の接地キー検出回路は、電話機の接地キー動作を検出し、接地キー検出信号を出力する。
【０００４】
電話接続線の電流インターフェイス信号は、誤った接地キー検出を引き起こすわけではないが、電話接続線を流れている電流ＩTおよびＩRの不均衡は、ある程度の期間は持続している必要がある。電話接続線を流れている２つの電流の不均衡はまた、縦電流(longitudinal-current)と呼ばれている。この縦電流が、特定の保護期間(guard period)の間に特定のしきい電流を超えると、すぐに、接地キー検出信号が、従来のような接地キー検出回路で出力される。
【０００５】
しかしながら、従来技術の接地キー検出回路は欠点がある。すなわち、容量性に電話接続線に接続している正弦電流外乱(sinusoidal current disturbances)によって、保護期間が経過する前の短期間の間に、電流閾値が一時的に再び減少してしまうことがあった。仮に、例えば、保護期間が４ｍｓであり、４ｍｓの保護期間に到達する前に、重ね合わされた正弦干渉電流(superimposed sinusoidal interference current)のために、検出される縦電流が閾値以下に落ちると、縦電流が電流閾値以下に落ちた後の非常に短時間内で、縦電流が電流閾値を再び超えたとしても接地キーの動作は検出されない。容量性に導入された正弦干渉電流(capacitively injected sinusoidal interference currents)は、設定された保護期間がそれぞれの場合において経過する前に、波ディップ(wave dip)において、閾値以下で、発生された縦電流を接地キー動作のために期間的に押し出すことができる。接地キー動作はそのような場合には検出されない。
【０００６】
それゆえ、本発明の目的は、接地キー検出回路および電話の接地キー検出のための相当する方法を創出することであり、その回路および方法は、導入された交流干渉電流(injected alternating interference currents)に対する耐干渉性をもった検出であり、導入された交流干渉電流が存在していても、接地キー動作を確実に検出することである。
【０００７】
本発明によれば、この目的は、特許請求項１に明記された特徴をもつ接地キー検出回路と、特許請求項１４に明記された特徴をもつ電話の接地キー動作を耐干渉性をもって検出する方法によって達成される。
【０００８】
本発明による接地キー検出回路およびその方法のさらに有利な形態では、本発明によれば、電話の接地キー動作の耐干渉性をもった検出は、従属項で明記される。
【０００９】
本発明は、電話の接地キー動作を、耐干渉性をもって検出するための接地キー検出回路を創出している。そして、この回路は、接地キーが動作されるときに、流れている縦電流を検出するための縦電流検出装置、検出された縦電流を閾値と比較するための少なくとも１つの比較測定器(comparator)、検出された縦電流が閾値を超える上回り期間(overshoot period)をモニターし、縦電流が閾値以下に落ちるときの下回り期間(undershoot period)を検出するモニター回路を含んでおり、このモニター回路が、上回り期間が下回り期間よりも長いときに、接地キー検出信号を出力するようになっている。
【００１０】
本発明の接地キー検出回路の、好ましいさらなる発展では、前記回路は、検出された縦電流を上閾値と比較するための第１比較測定器と、検出された縦電流を下閾値と比較するための第２比較測定器とを含んでおり、上記のモニター回路が、２つの閾値の上回り期間および下回り期間を検出し、第１比較測定器での縦電流の上回り期間が、下回り期間よりも長いとき、あるいは第２比較測定器での縦電流の下回り期間が、上回り期間よりも長いときに接地キー検出信号を出力するようになっている。
【００１１】
これにより、接地キー動作を、縦電流の流れの極性に依存せずに、確実に検出できるという特別の利点を得られる。
【００１２】
本発明による接地キー検出回路のさらなる有利な形態では、モニター回路が、上閾値が超えられた後にカウントアップし、下閾値が下回られたときにカウントダウンする、内部アップ／ダウンカウンターを備えている。
【００１３】
これにより、回路コストを最小限に抑えた、簡単な方法で上記の時間を検出できるという特別な利点を得られる。
【００１４】
本発明による接地キー検出回路のさらなる有利な形態では、モニター回路は、下閾値が下回られたときにカウントアップし、下閾値が超えらたときにカウントダウンする内部アップ／ダウンカウンターを備えている。
【００１５】
これにより、接地キー動作を、コストを最小限に抑えた回路による簡単な方法で、それによって生じる縦電流に依存しないように検出できるという特別の利点を得られる。
【００１６】
本発明による接地キー検出回路のさらなる好ましい形態では、モニター回路の内部カウンターは、上閾値が超えられた後、あるいは、下閾値が下回られた後に、あらかじめ決められた可変カウント期間(adjustable counting period)でアップ／ダウンカウント過程を行う。
【００１７】
これにより、接地キー検出回路を、交流電流干渉信号の周期あるいは期間に適応させられるという特別の利点を得られる。
【００１８】
本発明による接地キー検出回路のさらなる有利な形態では、可変カウント期間は、それぞれ、最大干渉期間および／または、最小干渉周波数を有する、予想される干渉信号期間の半分に設定される。
【００１９】
これにより、最小干渉周波数をもつ予想される干渉信号の周波数に相当する周波数だけを設定すればよいという特別の利点を得られる。より高い干渉周波数の残存干渉信号(remaining interference signals)は、自動的にまた抑制され、本発明による、接地キー検出回路の接地キー動作の検出過程には影響を与えない。
【００２０】
本発明による接地キー検出回路のさらなる有利な形態では、可変カウント期間は５０／３Ｈｚ、５０Ｈｚ、６０Ｈｚ、あるいは１２０Ｈｚの干渉信号周波数をもつ干渉信号の期間の半分に相当する。
【００２１】
可変カウント期間が５０／３Ｈｚの最小干渉周波数をもつ正弦干渉信号の期間の半分に設定されるとき、これは、５０Ｈｚ、６０Ｈｚ、１２０Ｈｚの干渉信号周波数をもつ残存干渉信号もまた抑制されるという特別の利点を持つ。
【００２２】
本発明による接地キー検出回路のさらなる有利な形態では、上閾値は約＋１７ｍＡで、下閾値は約−１７ｍＡである。
【００２３】
本発明による接地キー検出回路のさらなる有利な形態では、縦電流の極性変化(polarity changes)の数は、モニター回路内の極性検出装置のさらなる内部カウンターによってカウントされ、そして、あらかじめ決められた可変しきいカウントが超えられると、外部交流電流検出信号がモニター回路によって出力される。
【００２４】
これにより、外部交流電流の、あるいは、２つの電話接続線のうち１つへの外部電圧の誤った応用をすぐに検出できるという特別な利点を得られる。
【００２５】
本発明による接地キー検出回路のさらなる有利な形態では、接地キー検出信号は、あらかじめ決められた可変保護期間を経過した後にだけ出力される。
【００２６】
本発明による接地キー検出回路のさらなる有利な形態では、可変保護期間は約４ｍｓである。
【００２７】
これにより、短期外乱を抑制することが可能で、同時に、周波数が１２０Ｈｚまでの妨害を抑制することが可能であるという利点を得られる。
【００２８】
本発明による接地キー検出回路のさらなる有利な形態では、保護期間の終結は、モニター回路の内部アップ／ダウンカウンターによって検出される。
【００２９】
これにより、保護期間を、さらなる別個のカウンターなしに、簡単な方法で検出できるという特別な利点を得られる。
【００３０】
本発明による接地キー検出回路のさらなる有利な形態では、縦電流検出装置は、デジタル電話スイッチ（ＳＬＩＣ）のための集積回路である。
【００３１】
これにより、縦電流を標準的な集積半導体チップによって検出できるという特別な利点を得られる。
【００３２】
本発明の本質的な特徴を示すために、本発明による接地キー検出回路における好ましい形態を、以下のような添付する図面を参照しながら説明する：
図１は、本発明による接地キー検出回路のブロック図である。
【００３３】
図２は、図１で示した本発明による接地キー検出回路の好ましい形態を示す図である。
【００３４】
図３は、本発明の接地キー動作検出を説明するための、検出された縦電流の信号変化および付随するカウンター信号変化の一つ目の例を示す図である。
【００３５】
図４は、本発明の接地キー動作検出を説明する、縦電流の信号変化および付随するカウンター信号変化の二つ目の例を示す図である。
【００３６】
図５は、本発明の接地キー動作検出を説明する、縦電流の信号変化および付随するカウンター信号変化の三つ目の例を示す図である。
【００３７】
図１に、本発明の接地キー検出回路の基本的な構成を示す。
【００３８】
電話機１は、第１電話接続線２を介して、および、第２電話接続線３を介して、縦電流検出装置４に接続されている。第２電話接続線３は、分岐−オフ節(branch-off node)を含み、それに対して、電話接続セット１に属している接地キー６が接続され、地面に接続されている。縦電流検出装置４は、集積縦電流検出機能をもったＳＬＩＣ半導体回路であることが好ましい。縦電流検出装置４の出力は、出力線５を介して比較測定器６に接続されている。出力線５を介して出力された、検出された縦電流は、比較測定器６によって、閾値電流値と比較される。比較測定器６は、出力線７を介してモニター回路８に接続される。モニター回路８は、上回り期間、すなわち、縦電流が電流閾値組(threshold value set)を超える期間、および、下回り期間、すなわち縦電流が電流閾値組以下に落ちる期間を検出し、上回り期間が下回り期間よりも長いときに、線９を介して接地キー検出信号を出力する。
【００３９】
図２に、図１に示した、本発明の接地キー検出回路の好ましい形態を示す。共通の構成要素を同一の参照符号で示している。
【００４０】
縦電流検出装置４によって検出される縦電流は、出力線５を経由して、電流／電圧変換器１０によって測定電圧に変換される。図２に示すように、電流／電圧変換器は、接地された抵抗器から成ることが好ましい。抵抗器１０にわたって生じる測定電圧は、発生した縦電流を再現し、比較測定器の２つの比較測定器回路１１・１２に加えられる。比較測定回路１１・１２の入力は、縦電流検出回路４の出力線５に接続されている。比較測定器６の比較測定回路１１・１２は、抵抗器１０に生じている電圧を、可変比較電圧と比較する。
【００４１】
比較測定器回路１１・１２の可変しきい電圧は、調整線１３を介して入力装置１４に接続されていることが好ましい形態である。この構成は、比較測定器回路１１・１２のしきい電圧、あるいは、しきい電流を、それぞれ、入力装置１４により調整できる。比較測定器６の比較測定器回路１１・１２は、出力線７ａ・７ｂを持つ。縦電流検出装置４の出力線５に存在する縦電流が、電話機１の接続線２・３における上電流閾値を超えてしまうと、比較測定器回路１１は、出力線７ａを介して、相当する検出信号をモニター回路８へ出力する。また、縦電流検出装置４に存在する検出された縦電流が、特定の可変下電流閾値を下回ってしまうと、第２比較測定器回路１２は、出力線７ｂを介して、相当する検出信号をモニター回路８に出力する。
【００４２】
モニター装置８は、上回り期間と下回り期間とを検出し、第１比較測定器回路１１によって検出される出力線５における縦電流出力の上回り期間が、縦電流の下回り期間よりも長いとき、あるいは、第２比較測定器１２で検出される縦電流の下回り期間が上回り期間よりも長いときに、出力線９を介して接地キー検出信号を出力する。
【００４３】
この目的のために、モニター回路８は、上閾値が超えられた後にカウントアップし、下電流閾値が下回られたときにカウントダウンする、内部アップ／ダウンカウンターを備えている。モニター回路８はまた、下電流閾値が下回られるときにカウントアップし、上電流閾値が超えられるときにカウントダウンする、第２内部アップ／ダウンカウンターも備えている。
【００４４】
モニター回路８は、調整線(adjusting lines)１５を介して入力装置４に接続されていることが好ましい。モニター回路８の内部カウンターは、上閾値が超えられた後、あるいは、下閾値が下回られた後に、それぞれ、あらかじめ決められた可変カウント期間でアップ／ダウンカウント過程を行う。モニター回路８の内部カウンターのカウント期間は、本発明の接地キー検出回路の要求通りに、入力装置１４の補助とともに可変線１５を介して、それぞれ、可変される、あるいは設定される。
【００４５】
モニター回路８は、さらに電流極性検出装置を備え、これにより、縦電流の極性変化が検出される。この目的のために、電流極性検出装置は、あらかじめ決められたしきいカウント値が超えられるときに、モニター回路８の出力線１６を介して外部交流電流検出信号を出力する、別の内部カウンターを備えている。仮に、検出された縦電流の極性が連続して変化するとすれば、これは、電話接続１の電話接続線２・３が、誤って外部交流電圧に接続されている、あるいは、意図されずに、そのような電圧と接触していることになる。電流極性検出装置の内部カウンターは、存在する外部電圧の周波数に逆比例する期間内で、標的閾値(target threshold value)に増大される。接続線２・３にかかる外部交流電圧の周波数は、例えば内部時計信号によりこの期間を測定することで計算され、表示装置（図示せず）に示される。
【００４６】
すでに述べたように、モニター回路は、上可変電流閾値が超えられた後にカウントアップし、下可変電流閾値が下回られた後にカウントダウンする第１内部アップ／ダウンカウンター、および下電流閾値が下回られたときにカウントアップし、下電流閾値が超えられたときにカウントダウンする第２内部アップ／ダウンカウンターを備えている。２つの内部カウンターによって行われるアップ／ダウンカウント過程の期間は、入力装置１４を介して外部から設定されることが好ましい。
【００４７】
内部カウンターの可変カウント期間は、予想される正弦交流電流干渉信号の期間の半分に設定されており、上記正弦交流電流干渉信号は、それぞれ、最大干渉期間、あるいは、最小干渉周波数をもっていることが好ましい形態である。５０／３Ｈｚ、５０Ｈｚ、６０Ｈｚあるいは１２０Ｈｚが予想される干渉信号の最小干渉周波数である。これらは、ヨーロッパ交流電流システム(European alternating current system)のレールネットワーク(rail network)の電流−電圧周波数、あるいは、アメリカ交流電流システム(American alternating current system)の電流−電圧周波数である。内部カウンターの可変カウント期間は、５０／３Ｈｚの最小干渉周波数をもつレールネットワークの期間の半分に設定されていることが好ましく、つまり６０ｍｓの期間で３０ｍｓとなる。この設定により、５０Ｈｚ、６０Ｈｚ、１２０Ｈｚの残りの周波数もまた、自動的に抑制される。比較測定器６において可変の上電流閾値は＋１７ｍＡであり、下電流閾値は−１７ｍＡであることがより好ましい形態である。２つの閾値は、ゼロ電流に関して均衡がとれていることが好ましい。
【００４８】
接地キー検出信号線９を介する接地キー検出信号出力は、可変線１５を介して可変される、あらかじめ決められた保護期間が経過した後にだけ出力されることが好ましい。この保護期間は、約４ｍｓであることが好ましい。保護期間の終結は、モニター回路８内の内部アップ／ダウンカウンターによって検出される。
【００４９】
以下に、図２に示される本発明の接地キー検出回路の好ましい形態を、電話接続線２・３において検出される縦電流Ｉの種々の信号変化を示す図３〜５を参照しながら説明する。
【００５０】
図３に、電話接続線２・３における典型的な縦電流Iの変化、およびモニター回路８内の補助的な内部カウンターの信号変化を示す。
【００５１】
接地キー６が閉じられた後、干渉に敏感な縦電流(interference sensitive longitudinal current)が、電話機接続線２・３に生じ、縦電流検出装置４によって検出される。出力接続５で検出される縦電流は、接続線２を流れている電流と、接続線３を流れている電流との差を２で割った電流になる。接地キー６を閉じることで、縦電流ＩLは、縦電流ＩLが上電流閾値ＩSOを上回る時間Ｔ1に至るまで示す。この上回りは、比較測定器６の第１比較測定器回路１１によって検出され、そして検出信号が、この信号線７ａを介してモニター回路８に出力される。
【００５２】
縦電流ＩLによる閾値の上回りが検出された後、モニター回路８の第１内部カウンターは、カウントアップを始める。すなわち、それは連続的に増える。図３に示す例では、縦電流ＩLは、継続して上電流閾値ＩSOの上に残存するので、内部カウンターは、３０ｍｓの可変カウント期間が時間Ｔ2に到達するまで、連続してカウントアップする。この時間Ｔ2で、モニター回路８は接地キー６の動作を検出し、出力線９により接地キー検出信号を出力する。
【００５３】
図４に、縦電流ＩLの他の典型的な信号変化を示す。図４に示す例では、縦電流ＩLは、接地キー６が閉じられ、時間Ｔ1で上電流閾値ＩSOを超えた後に増加する。しかしながら、モニター回路８の内部カウンターは、時間Ｔ2で縦電流ＩLが再び上閾値以下に落ちるまで増える。内部カウンターは、アップ／ダウンカウンターとして構成され、出力閾値が下回られる後に、それぞれ、再びカウントダウンされる、あるいは増える。時間Ｔ3で、縦電流は上閾値ＩSOを再び超え、内部カウンターは、縦電流が時間Ｔ4で上閾値以下に再び落ちるまでカウントアップする。その後、縦電流は連続して上閾値以下に残存するゆえに、例示するように、内部カウンターは、再びゼロまでカウントダウンされる。
【００５４】
本発明の接地キー検出回路のより好ましい具体例では、あらかじめ決められた保護時間を、調整線１５を介して、モニター回路８に付加的に入力できる。図４に示される例では、保護時間は４ｍｓである。図４に示す例のいずれの点でも、内部カウンターは、保護時間４ｍｓを超えないので、接地キー検出信号は出力されない。
【００５５】
図５に、縦電流ＩLの信号変化と、モニター回路８に収容された、補助的な内部カウンターの信号変化とを例示する。
【００５６】
図５に示す例では、縦電流ＩLは、上閾値ＩSOを時間Ｔ1で超え、その結果、内部カウンターは増える。時間Ｔ2で、縦電流は上閾値以下に落ち、内部カウンターのカウント方向は反転され、時間Ｔ3まで減少する。時間Ｔ3で、縦電流は上閾値を再び超え、図示した信号変化の第１変化形ＩLAは上電流閾値の上に残存する。また、縦電流は、図示した第２変化形ＩLBでは、時間Ｔ4上電流閾値以下に再び落ちる。
【００５７】
図５から分かるように、カウンターは、上電流閾値が再び下回られるときに時間Ｔ2で減少し、縦電流が上閾値を再び超える時間Ｔ3で、カウンターがゼロより大きいカウントをもっているかどうか調べられ、その結果保存される。カウンターは、上電流閾値が超えられ、時間Ｔ3で再び増え始めるときにリセットされる。
【００５８】
図５に示すように、第２変化形（ＩLB）では、カウンターは、時間Ｔ4で上電流閾値が下回られた後にだけゼロにリセットされる。図５に示すように、縦電流ＩLの信号変化の第１変化形（ＩLA）においては、接地キー検出信号線９を介して接地キー検出信号が出力されるのは、時間Ｔ5で、可変最小保護期間が再び経過される後のみだけである。反対に、図５に示すように、信号変化の第２別形ＩLBでは接地キー検出信号は発生されず、カウンターＺBは４ｍｓの保護期間の経過する前に再び減少する。
【００５９】
接地キー検出信号は、それぞれ、接地キー検出ビット、あるいは、接地キー検出標識を設定することで生成されることが好ましい。設定された接地キー検出標識、あるいは接地キー検出ビットは、例えば、高レベルファームウェア内でマスク可能割り込み手続(maskable interrupt procedure)のきっかけとなる。
【００６０】
図４に示す典型的な信号変化に見られるように、縦電流が上電流閾値ＩSOを超える上回り期間(時間Ｔ1とＴ2間の期間)が、縦電流ＩLが上電流閾値ＩSO以下に落ちる下回り期間(時間Ｔ2とＴ3の間の期間)よりも長いときには、接地キー検出信号は検出されないが、これは、４ｍｓの可変保護期間がまだ経過していないからである。
【００６１】
このように、本発明の接地キー検出によれば、接地キー検出における正弦干渉電流を抑制できるとともに、保護期間を保持することが可能となる。
【００６２】
さらに、接続線間に存在する外部電圧を検出し、それらの周波数を示すことが可能となる。
【００６３】
正弦電流導入に関する干渉免疫(interference immunity)を除けば、本発明の接地キー保護装置はまた、スイッチバウンド(switch bounce)、あるいは過渡電流過程(transient processes)による信号変動に対する保護を提供する。
【図面の簡単な説明】
【図１】  本発明による接地キー検出回路のブロック図である。
【図２】  図１で示した本発明による接地キー検出回路の好ましい形態を示す図である。
【図３】  本発明の接地キー動作検出を説明するための、検出された縦電流の信号変化および付随するカウンター信号変化の一つ目の例を示す図である。
【図４】  本発明の接地キー動作検出を説明する、縦電流の信号変化および付随するカウンター信号変化の二つ目の例を示す図である。
【図５】  本発明の接地キー動作検出を説明する、縦電流の信号変化および付随するカウンター信号変化の三つ目の例を示す図である。
【図１】
0003689669.tif 000002
【図２】
0003689669.tif 000003
【図３】
0003689669.tif 000004
【図４】
0003689669.tif 000005
【図５】
0003689669.tif 000006